(57)【要約】      （修正有）【課題】鳥撃退器を取付け設置する箇所が、高所で手が届かない箇所でも、従来の作業用足場などの設備を設けずに容易な小道具を使用して鳥撃退器を取付け設置すること。そして設置する箇所に対応した形状に撃退の針金が容易に加工できること。【解決手段】撃退の針金が設置する箇所に対応した形状に３直径が１ミリから２ミリ程度の容易に手で折り曲げ加工が出来る複数の鳥撃退針金を手で加工できて、その鳥撃退器の台座にマグネットを取付け、そのマグネットが建築物外部に設けた鉄製のダクト、または鉄製の換気扇カバーなどの鉄製で成形された建築付帯物に長い棒の先端に棒の手元で操作できる摘みを設けた小道具のマジックハンドによって摘み、取付け設置する箇所の鉄製のダクト、または鉄製の換気扇カバーなどに近付け、取付け設置する箇所にマグネットの磁力と鉄の吸着にて取付け設置使用する。【選択図】図１
2010063449.tif 000002
【特許請求の範囲】
【請求項１】
スチール製台座に丸いフック付の６円筒形の物を取付けた物でその円筒形の物の先端に針金を複数取付た構成からなる鳥撃退器のスチール製台座に４マグネットを取付けた物。
【請求項２】
鳥撃退器の鳥撃退針金が直径が１ミリから２ミリ程度の手で容易に折り曲げ加工が出来る鳥撃退針金を複数取付た物。
【請求項３】
（請求項１）の鳥撃退器のスチール製台座に４マグネットを取付けた物と（請求項２）の鳥撃退の針金が直径が１ミリから２ミリ程度の手で容易に折り曲げ加工が出来る鳥撃退針金を複数本取付た物で構成された鳥撃退器。
【発明の詳細な説明】
【技術分野】
【０００１】従来の鳥撃退器の取付け設置は、手元の届く範囲は容易に取付け設置することができるが、鳥が高所を生活範囲としている以上、鳥撃退器の取付け設置箇所は、どうしても高所となり、手の届く範囲とは異なり、容易に取付け設置ができない物である。そのような高所などの箇所に対しては、従来の高所での作業をする際に使用する作業用足場などの設備を設けずにこのマグネット付鳥撃退器が容易に取付け設置することできるものである。そして様々な設置箇所に対し、撃退の針金の形状が自由に変えることができるものである。
【背景技術】住宅地の開発により、森林などの自然が失われ、その森林で生存している動植物の生態系が破壊されているのが現状である。森林が壊滅し、鳥などが開発によって建設された建築物の停まり易い箇所に移動し居住することで、それらの箇所に鳥の巣ができ、そしてそれらの鳥の糞が撒き散らされて不衛生な環境となる。このマグネット付鳥撃退器を鉄製で成形された建築物高所部分の鳥の停まり易い箇所に、長い棒の先端に棒の手元で操作できる摘みを設けた小道具のマジックハンドによって摘み、鉄製で成形された建築物高所部分の所定箇所に取付け設置する。この手順により高所などでの箇所を従来の作業用足場などの設備を設けずに、このマグネット付鳥撃退器が高所に容易に取付け設置することが出来るものである。そして様々な設置箇所に対し、撃退の針金の形状が自由に変えることができるものである。【０００２】
【特許文献１】特開２００８−１８７９０５
【特許文献２】特開２００８−１１１７７７
【特許文献３】特開２００６−３２０２４８
【特許文献４】特開２００６−２６２８１４
【発明の開示】
【発明が解決しようとする課題】
【０００３】本発明は、鳥撃退器を取付け設置する箇所が、高所などの手が届かない箇所においては、工事用の足場などの作業設備を設けて、その作業設備を使用して取付け設置をしていた。手が届かない高所などでの箇所を従来の作業用足場などの設備を設けずに容易な小道具を使用して鳥撃退器を取付け設置すること。そして鳥撃退器の先端に取付ける鳥撃退の針金が取付ける箇所に対応した様々な形に容易に加工出来ることが本発明での解決しようとする課題である。
【課題を解決するための手段】
【０００４】本発明は、鳥撃退器の先端に取付けた鳥撃退の針金が取付ける箇所にあった様々な形に加工することができ、そしてその鳥撃退器にマグネットを取付け構成することで、そのマグネットが建築物の外部に設けた鉄製のダクト、または鉄製の換気扇カバーなどの鉄製で成形された建築付帯物に長い棒の先端に棒の手元で操作できる摘みを設けた小道具のマジックハンドによって摘み、取付け設置する箇所の鉄製のダクト、または鉄製の換気扇カバーなどに近付け、その取付け設置する箇所にマグネットの磁力と鉄の吸着にて取付け設置使用する。
【発明の効果】
【０００５】本発明は、鳥撃退器の台座にマグネットを取付け、そのマグネットが建築物の外部に設けた鉄製のダクト、または鉄製の換気扇カバーなどの鉄製で成形された建築付帯物に長い棒の先端に棒の手元で操作できる摘みを設けた小道具のマジックハンドによって摘み、取付け設置する手の届かない箇所の鉄製のダクト、または鉄製の換気扇カバーなどの鉄製で成形された建築付帯物に近付けながらその取付け設置する箇所にマグネットの磁力と鉄の吸着にて取付け設置使用することで、従来の高所などでの箇所を作業用足場などの設備を設けずに容易に設置することができる鳥撃退器である。そして鳥撃退器の先端に取付けた鳥撃退の針金が取付ける箇所にあった様々な形に加工することができる。また、鳥撃退器に取付けたマグネットの磁力が磁力を感知して行動する鳥が、方向性がうまくとれず嫌がり寄ってこなくなる。
【発明を実施するための最良の形態】
【０００６】本発明は、鳥撃退器台座にマグネットを取付け、そのマグネットが建築物外部に設けた鉄製のダクト、または鉄製の換気扇カバーなどの鉄製で成形された建築付帯物に長い棒の先端に棒の手元で操作できる摘みを設けた小道具のマジックハンドによって摘み、取付け設置する手の届かない箇所の鉄製のダクト、または鉄製の換気扇カバーなどの鉄製で成形された建築付帯物に近付けながらその取付け設置する箇所にマグネットの磁力と鉄の吸着にて取付け設置使用する。従来の高所の設置箇所に作業用足場などの設備を設けずに容易な長い棒の先端に棒の手元で操作できる摘みを設けた小道具のマジックハンドを使用して鳥撃退器を取付け設置する。そして鳥撃退器の先端に取付けた鳥撃退の針金が取付ける箇所にあった様々な形に加工することができる。
【実施例】
【０００７】今、その構成を図面を追いながら説明すれば４マグネットを５スチール製の台座カバーを取付け、そのスチール製台座カバーに丸いフック付の６円筒形の物を取付け、その円筒形の物の先端に３直径が１ミリから２ミリ程度の自由に手で容易に折り曲げ加工が出来る鳥撃退の針金を複数本取付ける。長い棒の先端に棒の手元で操作できる摘みを設けた小道具のマジックハンドで摘みこむ前に設置する箇所に対応した形状に３直径が１ミリから２ミリ程度の自由に手で折り曲げ加工が出来る複数の針金を手で加工する。加工してから本発明のマグネット付鳥撃退器の２丸いフック付の６円筒形部分を長い棒の先端に棒の手元で操作できる摘みを設けた小道具のマジックハンドで摘み、外壁に設けた１鉄製のダクト、または鉄製の換気扇カバーなどの鉄製で成形された建築付帯物に近づけ、マグネットの吸着力で所定の箇所に取付け設置する。建築物の屋上から下に向かって取付けるときは、６円筒形部分に設置した２丸いフックに紐を通し、紐の両端を持ち落下防止対策をしながら作業する。取付け後はこの紐の片側を緩めれば容易に紐が２丸いフックから外れる。
【産業上の利用可能性】
【０００８】住宅地の開発により、森林などの自然が失われ、その森林で生存している動植物の生態系が破壊されているのが現状である。森林が壊滅し、鳥などが開発によって建設された鉄製で成形された建築物の停まり易い箇所に鳥が移動し居住することで、鳥の巣ができ、そして糞が撒き散らされ、不衛生な環境となる。このマグネット付鳥撃退器を鉄製で成形された建築物高所部分停まり易い箇所に長い棒の先端に棒の手元で操作できる摘みを設けた小道具のマジックハンドによって摘み、鉄製で成形された建築物高所部分の所定箇所に取付け設置する。この手順により高所などでの箇所を従来の作業用足場などの設備を設けずに本発明のマグネット付鳥撃退器が容易に取付け設置することできる。そして設置する箇所に対応した形状に折り曲げ加工が出来る複数の鳥撃退針金でより一層、鳥撃退できる。また、鳥撃退器に取付けたマグネットの磁力が磁力を感知して行動する鳥が、方向性がうまくとれずに嫌がり寄ってこなくなる。
【図面の簡単な説明】
【０００９】
【図１】本発明のマグネット付鳥撃退器の使用姿図  ４マグネットに５スチール製のカバーを取付け、その５スチール製カバーに丸いフック付の６円筒形の物を取付け、その６円筒形の物の先端に３直径が１ミリから２ミリ程度の自由に手で折り曲げ加工が出来る針金
【符号の説明】
【００１０】１は鉄製のダクト、または鉄製の換気扇カバーなどの鉄製で成形された建築付帯物
２は円筒形の物
３は直径が１ミリから２ミリ程度の自由に手で折り曲げ加工が出来る針金
４はマグネット
５はスチール製のカバー
６は円筒形の物
【図１】
2010063449.tif 000003